(57)【特許請求の範囲】
【請求項１】
所定の撮影画像に付加されている撮影条件情報を取得する取得手段と、
現在の撮影状況を示す撮影状況情報を検出する検出手段と、
前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と
を備え、
前記撮影条件取得手段は、前記取得手段により取得された撮影条件情報の補正に際し、当該撮影条件情報における補正候補となる種類の撮影条件情報が複数の場合、撮影結果に及ぼす影響がより少ない種類の撮影条件情報から順に補正する
ことを特徴とする撮影条件取得装置。
【請求項２】
所定の撮影画像に付加されている撮影条件情報を取得する取得手段と、
現在の撮影状況を示す撮影状況情報を検出する検出手段と、
前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と
を備え、
前記撮影条件取得手段は、
前記所定の撮影画像の撮影時の撮影状況を、前記取得手段により取得された撮影条件情報に基づき推測する推測手段と、
前記推測手段により推測された撮影状況と前記検出手段により検出された撮影状況情報により示される現在の撮影状況との間における第一の差異を特定する第一の特定手段と
を含み、
前記取得手段により取得された撮影条件情報を、前記第一の特定手段により特定された第一の差異に基づき補正し、補正後の撮影条件情報を現在の撮影状況での被写体の撮影に使用する撮影条件情報として取得する
ことを特徴とする撮影条件取得装置。
【請求項３】
前記取得手段は、前記所定の撮影画像に、当該所定の撮影画像の撮影時の撮影状況を示す撮影状況情報が付加されている場合に、当該撮影状況情報を更に取得し、
前記撮影条件取得手段は、
前記取得手段により取得された撮影状況情報により示される撮影状況と前記検出手段により検出された撮影状況情報により示される現在の撮影状況との間における第二の差異を特定する第二の特定手段と、
前記推測手段により推測された撮影状況と前記取得手段により取得された撮影状況情報により示される撮影状況との間における第三の差異を特定する第三の特定手段と、
前記所定の撮影画像に、当該所定の撮影画像の撮影時の撮影状況を示す撮影状況情報が付加されている場合に、前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得する第一の補正取得手段と、
前記所定の撮影画像に、当該所定の撮影画像の撮影時の撮影状況を示す撮影状況情報が付加されていない場合に、前記取得手段により取得された撮影条件情報を、前記第一の特定手段により特定された第一の差異に基づき補正し、補正後の撮影条件情報を現在の撮影状況での被写体の撮影に使用する撮影条件情報として取得する第二の補正取得手段と
を更に含む
ことを特徴とする請求項２記載の撮影条件取得装置。
【請求項４】
前記取得手段は、前記所定の撮影画像に付加されている撮影状況情報を更に取得し、
前記撮影条件取得手段は、
前記所定の撮影画像の撮影時の撮影状況を、前記取得手段により取得された撮影条件情報に基づき推測する推測手段と、
前記取得手段により取得された撮影状況情報により示される撮影状況と前記検出手段により検出された撮影状況情報により示される現在の撮影状況との間における第二の差異を特定する第二の特定手段と、
前記推測手段により推測された撮影状況と前記取得手段により取得された撮影状況情報により示される撮影状況との間における第三の差異を特定する第三の特定手段と
を含み、
前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得する
ことを特徴とする請求項１記載の撮影条件取得装置。
【請求項５】
前記検出手段は、現在の撮影状況を示す撮影状況情報として、被写体の照度、天気、屋内又は屋外の別の少なくともいずれか１つを示す撮影状況情報を検出することを特徴とする請求項１乃至４いずれか記載の撮影条件取得装置。
【請求項６】
所定の撮影画像に付加されている撮影条件情報を取得する取得手段と、
現在の撮影状況を示す撮影状況情報を検出する検出手段と、
前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と、
既存する複数の撮影画像から任意の撮影画像を使用者に選択させる第一の選択制御手段と
を備え、
前記取得手段は、前記第一の選択制御手段が使用者に選択させた撮影画像に付加されている撮影条件情報を取得し、
前記取得手段により取得された撮影条件情報のうちで現在の撮影状況での被写体の撮影に際し流用すべき種類の撮影条件を使用者に選択させる第二の選択制御手段をさらに備え、
前記撮影条件取得手段は、前記取得手段により取得された撮影条件情報の補正に際し、前記第二の選択制御手段が使用者に選択させた種類の撮影条件を補正の対象から除外する
ことを特徴とする撮影条件取得装置。
【請求項７】
前記第一の選択制御手段は、既存する複数の撮影画像であって、前記撮影条件取得手段により取得された撮影条件情報を被写体の撮影に際して使用する撮影装置に保存されている複数の撮影画像から任意の撮影画像を使用者に選択させることを特徴とする請求項６記載の撮影条件取得装置。
【請求項８】
前記第一の選択制御手段は、既存する複数の撮影画像であって、前記撮影条件取得手段により取得された撮影条件情報を被写体の撮影に際して使用する撮影装置以外の他の装置に保存されている複数の撮影画像から任意の撮影画像を使用者に選択させることを特徴とする請求項６記載の撮影条件取得装置。
【請求項９】
前記撮影条件取得手段により取得された撮影条件情報を再利用可能に保存する保存手段を更に備えることを特徴とする請求項１乃至８いずれか記載の撮影条件取得装置。
【請求項１０】
前記取得手段により取得された撮影条件情報と前記撮影条件取得手段により取得された撮影条件情報との差異を識別可能に表示する表示手段を更に備えることを特徴とする請求項１乃至９いずれか記載の撮影条件取得装置。
【請求項１１】
所定の撮影画像に付加されている撮影条件情報を取得する取得処理と、
現在の撮影状況を示す撮影状況情報を検出する検出処理と、
前記取得処理で取得した撮影条件情報を、前記検出処理で検出した撮影状況情報に応じて補正し、補正後の撮影条件情報を現在の撮影状況での被写体の撮影に際して使用する撮影条件情報として取得する撮影条件取得処理と
を含み、
前記撮影条件取得処理において、前記取得処理で取得した撮影条件情報の補正に際し、当該撮影条件情報における補正候補となる種類の撮影条件情報が複数の場合、撮影結果に及ぼす影響がより少ない種類の撮影条件情報から順に補正する
ことを特徴とする撮影条件取得方法。
【請求項１２】
コンピュータに、
所定の撮影画像に付加されている撮影条件情報を取得する取得機能と、
所定の検出手段によって現在の撮影状況を示す撮影状況情報を検出する検出機能と、
前記取得機能で取得した撮影条件情報を、前記検出機能で検出した撮影状況情報に応じて補正し、補正後の撮影条件情報を現在の撮影状況での被写体の撮影に際して使用する撮影条件情報として取得する撮影条件取得機能と
を実現させ、
前記撮影条件取得機能において、前記取得機能で取得した撮影条件情報の補正に際し、当該撮影条件情報における補正候補となる種類の撮影条件情報が複数の場合、撮影結果に及ぼす影響がより少ない種類の撮影条件情報から順に補正する
ことを特徴とするプログラム。
【請求項１３】
所定の撮影画像に付加されている撮影条件情報を取得する取得処理と、
現在の撮影状況を示す撮影状況情報を検出する検出処理と、
前記取得処理で取得した撮影条件情報を、前記検出処理で検出した撮影状況情報に応じて補正し、補正後の撮影条件情報を現在の撮影状況での被写体の撮影に際して使用する撮影条件情報として取得する撮影条件取得処理と
を含み、
前記撮影条件取得処理は、
前記所定の撮影画像の撮影時の撮影状況を、前記取得処理で取得した撮影条件情報に基づき推測する推測処理と、
前記推測処理で推測した撮影状況と前記検出処理で検出した撮影状況情報により示される現在の撮影状況との間における第一の差異を特定する第一の特定処理と
を含み、
前記撮影条件取得処理において、
前記取得処理で取得した撮影条件情報を、前記第一の特定処理で特定した第一の差異に基づき補正し、補正後の撮影条件情報を現在の撮影状況での被写体の撮影に使用する撮影条件情報として取得する
ことを特徴とする撮影条件取得方法。
【請求項１４】
所定の撮影画像に付加されている撮影条件情報を取得する取得処理と、
現在の撮影状況を示す撮影状況情報を検出する検出処理と、
前記取得処理で取得した撮影条件情報を、前記検出処理で検出した撮影状況情報に応じて補正し、補正後の撮影条件情報を現在の撮影状況での被写体の撮影に際して使用する撮影条件情報として取得する撮影条件取得処理と
既存する複数の撮影画像から任意の撮影画像を使用者に選択させる第一の選択制御処理と
を含み、
前記取得処理において、前記第一の選択制御処理で使用者に選択させた撮影画像に付加されている撮影条件情報を取得し、
前記取得処理で取得した撮影条件情報のうちで現在の撮影状況での被写体の撮影に際し流用すべき種類の撮影条件を使用者に選択させる第二の選択制御処理をさらに含み、
前記撮影条件取得処理において、前記取得処理で取得した撮影条件情報の補正に際し、前記第二の選択制御処理で使用者に選択させた種類の撮影条件を補正の対象から除外する
ことを特徴とする撮影条件取得方法。
【発明の詳細な説明】
【技術分野】
【０００１】
本発明は、主としてデジタルカメラにおいて所望とする撮影結果を得るための撮影条件の取得技術に関するものである。
【背景技術】
【０００２】
従来、デジタルカメラ（携帯電話端末等に組み込まれたものを含む）においては、撮影時におけるシャッター速度、絞り値、光源の種類等の撮影条件を自動的に設定するオートモードが設けられている。係るオートモードによる撮影条件の設定は、少なくとも失敗のない撮影結果を得ることを目的とするものであり、設定される撮影条件は必ずしも個々の撮影シーンに適するとともに、所望する撮影結果が得られるものとは限らない。なお、所望する撮影結果とは、ユーザーの好みに応じた雰囲気を有するものである。
【０００３】
係ることから、一般にデジタルカメラにおいては、ユーザーが１又は複数の撮影条件を必要に応じマニュアルで設定することが可能となっている。しかしながら、一般のユーザーにおいて、その時々の撮影シーンに適するとともに、所望する撮影結果が得られる撮影条件をマニュアルで設定することは現実的には難しい。
【０００４】
これを解決する技術として、例えば下記特許文献１には、撮影時において、自端末内の既存する撮影画像から、それを撮影したときの撮影条件を取得し、取得した撮影条件を流用して撮影を行う技術が開示されている。係る技術によれば、ユーザーは、既存する撮影画像の中から所望する撮影結果と近似する画像を選択するだけで、所望する撮影結果が得られる撮影条件を容易に設定することが可能となる。
【先行技術文献】
【特許文献】
【０００５】
【特許文献１】特開２００６−１１５４０４５公報
【発明の概要】
【発明が解決しようとする課題】
【０００６】
しかしながら、特許文献１に記載された技術においては、ユーザーによって選択された既存の撮影画像が、実際の撮影状況とは異なる撮影状況の下で撮影されたものである場合には、所望する撮影結果が得られないばかりか、被写体に応じた適切な撮影条件すら設定することができない。
【０００７】
例えば現在の撮影場所が屋内であるとき、屋外で撮影された撮影画像をユーザーが選択した場合には、ホワイトバランスが崩れた撮影結果しか得ることができない。つまり現在の撮影状況が、既存する撮影画像が撮影されたときとは異なっている場合には、所望する撮影結果もとより、良好な撮影結果すら得ることができないという問題があった。
【０００８】
本発明は、かかる従来の課題に鑑みてなされたものであり、ユーザーが所望とする撮影結果が得られる撮影条件を容易に、かつ確実に取得することを可能とする撮影条件取得装置、及び撮影条件取得方法とプログラム、並びに撮像装置を提供することを目的とする。
【課題を解決するための手段】
【０００９】
前記課題を解決するため、本発明の撮影条件取得装置においては、所定の撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段とを備え、前記撮影条件取得手段は、前記取得手段により取得された撮影条件情報の補正に際し、当該撮影条件情報における補正候補となる種類の撮影条件情報が複数の場合、撮影結果に及ぼす影響がより少ない種類の撮影条件情報から順に補正することを特徴とする
また、前記課題を解決するため、本発明の撮影条件取得装置においては、所定の撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段とを備え、前記撮影条件取得手段は、前記所定の撮影画像の撮影時の撮影状況を、前記取得手段により取得された撮影条件情報に基づき推測する推測手段と、前記推測手段により推測された撮影状況と前記検出手段により検出された撮影状況情報により示される現在の撮影状況との間における第一の差異を特定する第一の特定手段とを含み、前記取得手段により取得された撮影条件情報を、前記第一の特定手段により特定された第一の差異に基づき補正し、補正後の撮影条件情報を現在の撮影状況での被写体の撮影に使用する撮影条件情報として取得することを特徴とする。
また、前記課題を解決するため、本発明の撮影条件取得装置においては、所定の撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と、既存する複数の撮影画像から任意の撮影画像を使用者に選択させる第一の選択制御手段とを備え、前記取得手段は、前記第一の選択制御手段が使用者に選択させた撮影画像に付加されている撮影条件情報を取得し、前記取得手段により取得された撮影条件情報のうちで現在の撮影状況での被写体の撮影に際し流用すべき種類の撮影条件を使用者に選択させる第二の選択制御手段をさらに備え、前記撮影条件取得手段は、前記取得手段により取得された撮影条件情報の補正に際し、第二の選択制御手段が使用者に選択させた種類の撮影条件を補正の対象から除外することを特徴とする。
【発明の効果】
【００１０】
本発明によれば、ユーザーが所望とする撮影結果が得られる撮影条件を容易に、かつより確実に取得することが可能となる。
【図面の簡単な説明】
【００１１】
【図１】本発明に係るデジタルカメラのブロック図である。
【図２】（ａ）は撮影条件情報の例を示す図、（ｂ）は撮影状況情報の例を示す図、（ｃ）は撮影状況推測テーブルを示す概念図である。
【図３】デジタルカメラの動作を示すフローチャートである。
【図４】図３に続くフローチャートである。
【図５】図３に続くフローチャートである。
【図６】撮影時に使用する撮影条件情報の取得方法を示す説明図である。
【図７】表示部の表示画面における表示例を示す図である。
【図８】本発明の実施形態を示すシステム構成図である。
【発明を実施するための形態】
【００１２】
以下、本発明の実施形態について説明する。図１は、本発明に係るデジタルカメラ１の主として電気的構成の概略を示すブロック図である。図１に示したようにデジタルカメラ１は、制御部２と、制御部２に接続された以下の各部とから構成される。
【００１３】
制御部２は、ＣＰＵ（Central Processing Unit）及びその周辺回路、各種の制御プログラムが格納されたＲＯＭ（Read Only Memory）、及び作業用のＲＡＭ（Random Access memory）を含み、制御プログラムに従いデジタルカメラ１の各部を制御する。上記の制御プログラムには、コントラスト検出方式によるＡＦ（Auto Focus）制御や、フラッシュ撮影時の光量調整を含むＡＥ（Auto Exposure）制御、ＡＷＢ（Auto White Balance）制御に使用されるプログラム、及び制御部２に後述する処理を行わせるためのプログラムが含まれる。
【００１４】
また、前記ＲＯＭには、ＡＥ制御に際して使用される、被写体の明るさに応じたシャッター速度、ＩＳＯ感度、絞り値の組み合わせを示すプログラム線図を構成するデータ等の各種データも格納されている。
【００１５】
電源部３は、充電池、およびＤＣ／ＤＣコンバータなどで構成され、デジタルカメラ１の各部へ、各々の動作に必要な電力を供給する。
【００１６】
レンズ部４は、フォーカス調整用、及びズーム用のレンズを含むレンズ群、及びレンズ群を駆動するモータと、絞り、及び絞りを開閉駆動して開度を調整するアクチュエータ等から構成される。
【００１７】
撮像部５は、ＣＣＤ（Charge Coupled Device）やＭＯＳ（Complementary Meta1 0xide Semiconductor）型の撮像素子と、撮像素子から出力された撮像信号に対して所定のアナログ処理を行った後、デジタル信号に変換するＡＦＥ（Analog Front End）とから構成される。撮像部５は、デジタルカメラ１に撮影モードが設定されている間、レンズ部４のレンズ群を介して被写体を逐次撮像し、被写体の画像データ（撮像データ）を制御部２へ供給する。
【００１８】
制御部２へ供給された画像データは、制御部２において画素毎のＲＧＢデータに変換され、さらに輝度（Ｙ）成分及び色差（ＵＶ）成分からなるＹＵＶデータに変換された後、表示部６へ供給され、表示部６においてライブビュー画像として表示される。
【００１９】
また、撮影時において撮像部５から制御部２へ供給された画像データは、ＹＵＶデータに変換された後、ＪＰＥＧ（Joint Photographic Expert Group）方式により圧縮される。圧縮後の画像データは、種々の属性情報が付加され、Ｅｘｉｆ（Exchangeable Image File Format）規格に準拠した静止画ファイルとして記憶部７に記憶される。
【００２０】
記憶部７に静止画ファイルとして記憶された画像データは、デジタルカメラ１に再生モードが設定されている間、制御部２によって読み出され伸張された後、表示部６へ供給されて画面表示される。
【００２１】
表示部６は、カラー液晶表示パネルと、制御部２から供給される画像データ等に応じてカラー液晶表示パネルを駆動する表示駆動回路とから構成され、前述したように撮影モードにおいては被写体画像をライブビュー表示し、再生モードにおいては記憶部７に静止画ファイルとして記憶されている画像データからなる既存の撮影画像を表示する。また、表示部６は、制御部２から供給される種々のＯＳＤ（On Screen Display）表示用のデータに基づく文字情報等も表示する。
【００２２】
記憶部７は、例えばデジタルカメラ１に内蔵されたフラッシュメモリや、デジタルカメラ１に着脱自在な各種のメモリカード、及びメモリカードへのデータの入出力を可能とするカードインターフェイスにより構成される。前述したように記憶部７には撮影画像が静止画ファイルとして記憶される。なお、以下の説明においては、記憶部７に静止画ファイルとして記憶されている撮影画像、すなわち既存の撮影画像を既撮影画像という。
【００２３】
記憶部７に記憶されている既撮影画像１００は、図１に便宜的に示したように圧縮状態にある画像データ本体１００ａと、画像データ本体に前述した属性情報として付加されている撮影条件情報１００ｂと、撮影状況情報１００ｃとを含む構成である。
【００２４】
撮影条件情報１００ｂは、既撮影画像１００の撮影時に設定されていた各種の撮影条件に関する情報であり、例えば図２（ａ）に示したようにシャッター速度、ＩＳＯ感度、絞り値等である。撮影状況情報１００ｃは、既撮影画像１００の撮影時における撮影状況（撮影環境）に関する各種の情報であり、例えば図２（ｂ）に示したように照度（被写体の明るさ）、天気、撮影場所の屋内／屋外の別等である。なお、撮影状況情報１００ｃについては、既撮影画像１００が、例えばデジタルカメラ１以外の他のカメラで撮影され、デジタルカメラ１の記憶部７に任意の方法によって格納されたものでは、付加されていない場合もある。
【００２５】
操作部８は、電源キーやシャッターキー、及びデジタルカメラ１の基本の動作モードである撮影モードと再生モードとの切り替えに使用されるモード切替キー等の複数の操作キーから構成される。操作部８における操作キーの操作状態は制御部２において随時監視される。
【００２６】
発光部９は、キセノン管等の発光管、発光用コンデンサや、その充電回路からなり、被写体が暗い場合におけるフラッシュ撮影時に撮影補助光を発光する。
【００２７】
通信部１０は、必要に応じて有線又は無線による通信回線、さらには他の通信機器を介してデジタルカメラ１を必要に応じてインターネット５００へ接続し、インターネット５００上に存在する既撮影画像１００（既存の撮影画像）を受信する通信処理を行う。より具体的に説明すると、通信部１０は、ソーシャル・ネットワーク・サービスを提供しているサーバーや、撮影画像の保存サービスを提供しているサーバー等の他の装置に記憶されている既撮影画像１００を受信する。通信部１０により受信された画像データ（静止画ファイル）も記憶部７に記憶される。
【００２８】
そして、デジタルカメラ１の制御部２には後述する設定流用モードにおいて使用される撮影状況推測テーブルを構成するデータが前記ＲＯＭに格納されている。図２（ｃ）に示したように撮影状況推測テーブル２００は、前述した撮影条件情報１００ｂの種類（１又は複数）と、前述した撮影状況情報１００ｃの種類との対応関係を示すテーブルである。つまり任意の撮影時に設定された撮影条件の内容と、その撮影条件で撮影が行われたとき推測できる撮影時の撮影状況の内容との対応関係を示すテーブルである。
【００２９】
次に、以上の構成からなるデジタルカメラ１の本発明に係る動作について説明する。図３は、制御部２における処理内容であって、デジタルカメラ１に設けられている設定流用モードでの処理を含むフローチャートである。ここで、設定流用モードは、撮影モードの下位モードとしてデジタルカメラ１に設けられているものであり、撮影時に設定すべき撮影条件を、ユーザーによって選択された既撮影画像１００（以下、選択画像という。）に付加されている撮影条件情報１００ｂを用いて取得する動作モードである。つまり任意の既撮影画像１００に付加されている撮影条件情報１００ｂを、撮影時に設定する撮影条件として流用するためのモードである。
【００３０】
図３に示したように、制御部２は、例えばデジタルカメラ１の電源が投入されることに伴い処理を開始し、まず現在設定されている動作モードが撮影モードであるか否かを確認する（ステップＳ１）。
【００３１】
動作モードが撮影モードでなく再生モードである場合（ステップＳ１：ＮＯ）、制御部２は、再生モードでの処理に向けて再生モード初期設定を行うともに、撮影画像を表示部６に表示させる（ステップＳ２）。なお、ここで表示させる撮影画像は、例えば前回電源がオフされる直前の再生モードで最後に表示していた撮影画像、つまり所定の既撮影画像である。
【００３２】
次に、制御部２は、ユーザーによりモード変更操作の有無を確認し、モード変更操作がなければ（ステップＳ３：ＮＯ）、さらに他の操作の有無を確認する（ステップＳ４）。
なお、ステップＳ４の処理で制御部２が確認する操作内容は、例えば画像送り、画像の拡大、スライドシー表示を指示する操作である。そして、制御部２は、他の操作があったときには（ステップＳ４：ＹＥＳ）、操作に応じた所定の処理を実行した後（ステップＳ５）、再びモード変更操作の有無を確認する（ステップＳ３）。
【００３３】
一方、制御部２は、電源投入直後に撮影モードが設定されていたとき（ステップＳ１：ＹＥＳ）、及び再生モードから撮影モードへのモード変更操作があったときには（ステップＳ３：ＹＥＳ）、撮影モードでの処理に向けて撮影モード初期設定を行うともに、表示部６におけるライブビュー表示を開始する（ステップＳ６）。これに伴い、表示部６には例えば図７（ａ）に示したようなライブビュー画像が表示される。
【００３４】
しかる後、ユーザーにより撮影モードの下位モードとして前述した設定流用モードが選択されたか否かを確認し、設定流用モードが選択された場合においては（ステップＳ７：ＹＥＳ）、以下の処理を実行する。
【００３５】
まず、制御部２は、撮影条件の取得に向けた処理に際して対象となる任意の既撮影画像をユーザーに選択させる（ステップＳ８）。ステップＳ８に際して制御部２は、記憶部７に記憶されている複数の既撮影画像１００を表示部６に選択可能に順送りで表示させたり、選択可能に一覧表示させたりすることによりユーザーに所望の既撮影画像を選択させる。
【００３６】
或いは、制御部２は、ユーザーの指示に応じ通信部１０を介してインターネット５００へ接続し、インターネット５００上に存在する既撮影画像１００を受信し、受信した複数の既撮影画像１００を表示部６に選択可能に順送りで表示させたり、選択可能に一覧表示さたりすることによりユーザーに所望の既撮影画像を選択させる。
【００３７】
なお、このときユーザーには、この後の撮影によって得たいと望む撮影結果と近似する既撮影画像、例えば好みに応じた雰囲気を有する既撮影画像を選択させる。
【００３８】
次に、制御部２は、ユーザーによって選択された既撮影画像（以下、選択画像という。）から、それに付加されている撮影条件情報１００ｂを取得し（ステップＳ９）、さらに現在の撮影状況情報を取得する（ステップＳ１０）。図７（ｂ）は、ユーザーによって選択された既撮影画像の例を便宜的に示した図である。
【００３９】
係る処理において制御部２が取得する撮影状況情報は、撮像部５の撮像素子をセンサとして直接、又は間接的に検出可能な種類の情報である。すなわちステップＳ１０の処理に際して制御部２は、撮像部５から供給される被写体の画像データに基づいて、被写体の照度や撮影場所（屋内又は屋外）等の撮影状況情報を取得（検出）する。なお、撮影場所の検出に際して制御部２は、撮影時におけるＡＷＢ制御と同様の処理によって光源の種類を特定し、特定した光源の種類から撮影場所が屋内か屋外かを判定する。
【００４０】
次に、制御部２は、選択画像に撮影状況情報１００ｃが付加されているか否かを確認し、付加されていない場合には（ステップＳ１１：ＮＯ）、後述するステップＳ１２〜ステップＳ１４の処理を実行し、付加されている場合には（ステップＳ１１：ＹＥＳ）、後述するステップＳ１５〜ステップＳ１９の処理を実行する。
【００４１】
まず、選択画像に撮影状況情報１００ｃが付加されていない場合の処理について説明する。図６（ａ）は、その場合の処理内容を示した説明図である。
【００４２】
選択画像に撮影状況情報１００ｃが付加されていない場合、図３に示したように制御部２は、選択画像から取得した撮影条件情報に基づき、前述した撮影状況推測テーブル２００を参照することによって、選択画像が撮影された時の撮影状況を推測する（ステップＳ１２）。すなわち制御部２は、選択画像から取得した撮影条件情報のうちで、撮影状況推測テーブル２００に示されている種類の撮影条件（１又は複数）の特定の内容に対応する撮影状況の内容を確認する。
【００４３】
次に、制御部２は、ステップＳ１２の処理で推測した撮影状況の情報と、ステップＳ１０の処理で取得した現在の撮影状況を示す撮影状況情報との間における第一の差異Ａを特定する（ステップＳ１３）。すなわち制御部２は、双方の撮影状況情報において互いに異なる撮影状況の種類を特定する。
【００４４】
しかる後、制御部２は、第一の差異Ａに基づいて、ステップＳ９の処理で取得した撮影条件情報１００ｂを補正する（ステップＳ１４）。ステップＳ１４の処理に際して制御部２は、例えば第一の差異Ａ、つまり前記双方の撮影状況情報において互いに異なる撮影状況の種類が撮影場所であって、推測した選択画像の撮影場所が屋内であるのに対し、現在の撮影場所が屋外であるときには、ステップＳ９の処理で取得した撮影条件情報１００ｂにおけるホワイトバランスを屋外の撮影時のホワイトバランスに補正する。
【００４５】
また、ステップＳ１４の処理に際して制御部２は、第一の差異Ａに対応する撮影条件情報の種類が複数の場合、必要に応じて予め決められている優先順位がより高い種類の撮影条件情報から順に補正する。ここで、図２（ａ）に示したように、撮影条件情報１００ｂにおける各種類の優先順位は、撮影結果に及ぼす影響がより少ない種類の撮影条件情報ほど優先順位が高くなっている。
【００４６】
そのため、例えば第一の差異Ａが照度（被写体の明るさ）である場合であって、推測した選択画像の照度に比べ、現在の照度が低い又は高いときには、ステップＳ９の処理で取得した撮影条件情報における照度に関連する種類の情報（撮影条件）、すなわちシャッター速度、絞り値、ＩＳＯ感度のうちでＩＳＯ感度を最初に補正し、それが補正範囲を超えてしまうときには、ＩＳＯ感度を補正範囲の限界まで補正し、次に絞り値を補正する。
【００４７】
つまりステップＳ１２〜ステップＳ１４の処理においては、選択画像（既撮影画像）が撮影された時の撮影状況と現在の撮影状況とが異なっている場合には、選択画像の撮影時における撮影条件情報が、現在の撮影状況に応じて補正される。
【００４８】
その結果、補正後に得られる撮影条件情報は、これから撮影しようとしている被写体の撮影に適した撮影条件情報、つまり良好な状態の撮影結果を得ることができ、しかもユーザーの好みに応じた選択画像と近似する雰囲気を有する撮影結果を得ることができる撮影条件情報となる。
【００４９】
また、選択画像から取得した撮影条件情報を補正するとき、第一の差異Ａに対応する撮影条件情報の種類が複数の場合には、必要に応じて予め決められている優先順位がより高い種類の撮影条件情報から順に補正する。これよっても、補正後の撮影条件情報が、より確実に被写体の撮影に適した良好な状態の撮影結果を得ることができる撮影条件情報となる。
【００５０】
次に、選択画像に撮影状況情報１００ｃが付加されている場合の処理について説明する。図６（ｂ）は、その場合の処理内容を示した説明図である。
【００５１】
選択画像に撮影状況情報１００ｃが付加されている場合、図３に示したように制御部２は、選択画像から、それに付加されている撮影状況情報を取得し（ステップＳ１５）、取得した撮影状況情報と、ステップＳ１０の処理で取得した現在の撮影状況を示す撮影状況情報との間における第二の差異Ｂを特定する（ステップＳ１６）。すなわち制御部２は、双方の撮影状況情報において互いに異なる撮影状況の種類であって、選択画像が撮影されたときの実際の撮影状況と現在の撮影状況との間における実際の差異を特定する。
【００５２】
次に、制御部２は、ステップＳ１２の処理と同様に、選択画像から取得した撮影条件情報に基づき、前述した撮影状況推測テーブル２００を参照することによって、選択画像が撮影された時の撮影状況を推測する（ステップＳ１７）。すなわちステップＳ１７の処理おいて制御部２は、選択画像が撮影された時の撮影条件が、撮影時の撮影状況に応じた一般的な基準に従い設定されていたと仮定した場合における選択画像の撮影時における撮影状況を推測する。
【００５３】
引き続き、制御部２は、推測した撮影状況と、ステップＳ１５の処理で取得した選択画像に付加されている撮影状況情報により示される撮影状況との間における第三の差異Ｃを特定する（ステップＳ１８）。係る第三の差異Ｃは、選択画像が撮影された時の撮影条件が、撮影時の撮影状況に応じた一般的に基準に従い設定されていた場合とは異なり、例えば撮影者によって意図的に変更されていた場合、例えば露出を通常よりも多め（明るく）に設定していたり、通常よりも少なめ（暗く）設定していたりした場合に生じる撮影状況の差異である。
【００５４】
しかる後、制御部２は、ステップＳ１６の処理で特定した第二の差異ＢとステップＳ１８の処理で特定した第三の差異Ｃとにそれぞれ基づいて、ステップＳ９の処理で取得した撮影条件情報１００ｂを補正する（ステップＳ１９）。ステップＳ１９の処理に際して制御部２は、第二の差異Ｂに基づき、ステップＳ９の処理で取得した撮影条件情報１００ｂを前述したステップＳ１４の処理と同様の手順で補正した後、補正後の撮影条件情報を、さらに、第三の差異Ｃに基づき、前述したステップＳ１４の処理と同様の手順で補正する。
【００５５】
これによりステップＳ１５〜ステップＳ１９の処理においても、選択画像（既撮影画像）が撮影された時の撮影状況と現在の撮影状況とが異なっている場合には、選択画像の撮影時における撮影条件情報が、現在の撮影状況に応じて補正される。しかも、補正後に得られる撮影条件情報には、選択画像が撮影された時の撮影条件が撮影者によって意図的に変更されていた場合には、それが反映される。
【００５６】
その結果、補正後に得られる撮影条件情報は、これから撮影しようとしている被写体の撮影に適した撮影条件情報、つまり良好な状態の撮影結果を得ることができ、しかもユーザーの好みに応じた選択画像とより一層確実に近似する雰囲気を有する撮影結果を得ることができる撮影条件情報となる。
【００５７】
また、選択画像から取得した撮影条件情報１００ｂを補正するとき、第二の差異Ｂ、及び第三の差異Ｃに対応する撮影条件情報の種類が複数の場合には、必要に応じて予め決められている優先順位がより高い種類の撮影条件情報から順に補正する。これよっても、補正後の撮影条件情報が、より確実に被写体の撮影に適した良好な状態の撮影結果を得ることができる撮影条件情報となる。
【００５８】
以上のようにステップＳ１２〜ステップＳ１４の処理、又はステップＳ１５〜ステップＳ１９の処理によって、選択画像に付加されている撮影条件情報１００ｂを補正した後、制御部２は、引き続き図４に示した以下の処理を実行する。
【００５９】
すなわち制御部２は、補正後の撮影条件情報によるライブビュー画像を表示部６に表示されるとともに、画面上にモード表示を行う（ステップＳ２０）。ステップＳ２０の処理に際して制御部２は、撮像部５から供給される被写体の画像データに対し、補正後の撮影条件情報に応じた内容の画像処理を施すことにより、ライブビュー画像として表示中の被写体を補正後の撮影条件情報に従って撮影した場合に生成される画像と同様の表示用画像を生成し、それをライブビュー画像として表示部６に表示させる。つまり補正後の撮影条件情報が反映されたライブビュー画像を表示させる。なお、表示用画像は、実際の撮影結果と同一である必要はなく、補正後の撮影条件情報を撮影時に設定した場合の効果をユーザーに確認させる程度のものでよい。
【００６０】
また、ステップＳ２０の処理におけるモード表示は、現在、設定流用モードが設定されており、かつライブビュー画像が、補正後の撮影条件情報が反映された状態の画像であることを明示するためのもの、つまり補正後の撮影条件情報の効果をユーザーに識別させるためのものであって、ＯＳＤ表示により行われる。図７（ｃ）は、ステップＳ２０の処理に際して表示部６に表示されるライブビュー画像、及びモード表示の例を示した図である。したがって、係るライブビュー画像によって、ユーザーは撮影時にどの様な撮影結果が得られる撮影条件情報が取得できたのかを、撮影以前に確認することができる。
【００６１】
引き続き、制御部２は、ユーザーからライブビュー画像に反映中の撮影条件情報の補正が必要との指示（キー操作）があるか否かを確認し、補正が必要である旨の指示があった場合には（ステップＳ２１：ＹＥＳ）、ユーザーに補正後の撮影条件情報から、撮影時の撮影条件として除外すべき撮影条件情報の種類を選択させる（ステップＳ２２）。
【００６２】
ステップＳ２２の処理に際して制御部２は、図７（ｄ）に示したような、撮影条件情報の種類を選択するための選択画面を表示部６に表示させ、所定のキー操作によって任意の撮影条件情報の種類を選択させる。しかる後、制御部２は、ライブビュー画像に反映中の撮影条件情報から、ユーザーにより選択された種類の撮影条件情報を除外する補正を行う（ステップＳ２３）。
【００６３】
これにより、ユーザーにおいては、前述したステップＳ１４の処理やステップＳ１９の処理によって自動的に補正された撮影条件情報が意図する撮影に適さない場合には、意図する撮影に応じて撮影条件情報を手動でさらに補正することができる。つまり、補正後に得られる撮影条件情報にユーザーの意志を反映させることができる。
【００６４】
例えば、できるだけノイズが目立たない撮影結果を得たいにも拘わらず、自動的に補正された撮影条件情報のうちで、絞り値よりも優先度合が高いＩＳＯ感度によって明るさが調整され、その結果、撮影条件情報が撮影結果にノイズを目立せるようなものとなっているときには、撮影時の撮影条件として除外すべき撮影条件情報の種類としてＩＳＯ感度を選択すればよい。
【００６５】
また、例えばフラッシュ撮影が行えない状況下で、自動的に補正された撮影条件情報においてフラッシュ有りとなっていた場合には、撮影時の撮影条件として除外すべき撮影条件情報の種類としてフラッシュの有りを選択すれば、フラッシュ無し、シャッター速度、絞り値、ＩＳＯ感度、ホワイトバランスの調整によって好みの撮影結果が得られるような撮影条件情報を得ることができる。
【００６６】
そして、制御部２は、ステップＳ２３の処理による補正後の撮影条件情報によるライブビュー画像を表示部６に表示させるとともに、画面上にモード表示を行う（ステップＳ２４）。なお、このときの制御部２の具体的な処理は、ステップＳ２０の処理の場合と同様である。図７（ｅ）は、ステップＳ２３の処理に際して表示部６に表示されるライブビュー画像、及びモード表示の例を示した図である。したがって、係るライブビュー画像によって、ユーザーは撮影時にどの様な撮影結果が得られる撮影条件情報が取得できたのかを、撮影以前に確認することができる。
【００６７】
これにより、ユーザーにおいては、自分が選択した種類の撮影条件情報を除外した内容の撮影条件情報を適用して撮影した場合に得られる撮影結果を確認することができる。
【００６８】
しかる後、制御部２は、その時点でライブビュー画像に反映中の撮影条件情報の保存指示があるか否かを確認する（ステップＳ２５）。なお、前述したステップＳ２０の処理におけるライブビュー表示、及びモード表示の後に、ユーザーから補正が必要である旨の指示がなかった場合（ステップＳ２１：ＮＯ）、制御部２は、その時点で直ちにライブビュー画像に反映中の撮影条件情報の保存指示があるか否かを確認する（ステップＳ２５）。
【００６９】
撮影条件情報の保存指示があった場合（ステップＳ２５：ＹＥＳ）、制御部２は、その時点でライブビュー画像に反映中の撮影条件情報の保存処理を行う（ステップＳ２６）。係る保存処理に際して制御部２は、例えばその時点でライブビュー画像として表示している画像を、当該画像に反映させている撮影条件情報を付加するとともに、撮影条件情報の保存用画像として通常の既撮影画像１００とは識別可能な状態で記憶部７に記憶させる。これにより、任意の撮影時に設定流用モードで取得した撮影条件情報が、その後の撮影時においても利用可能となる。
【００７０】
そして、制御部２は、ステップＳ２６の処理後には前述したステップＳ７の処理へ戻り、また撮影条件情報の保存指示がなかった場合については（ステップＳ２５：ＮＯ）、直ちに前述したステップＳ７の処理へ戻り、設定流用モードが再び選択されたら（ステップＳ７：ＹＥＳ）、前述したステップＳ８以降の処理を繰り返す。
【００７１】
一方、制御部２は、前述したステップＳ８以降の処理を行った後、又はそれを行う以前においてライブビュー表示を行っている間、撮影モードの下位モードとして予め用意されている保存撮影条件モードがユーザーにより選択された場合には図５に進み（ステップＳ７：ＮＯ、ステップＳ２７：ＹＥＳ）、以下の処理を行う。
【００７２】
まず、制御部２は、撮影時に設定すべき撮影条件情報として、前述したステップＳ２６の保存処理によって予め保存されている撮影条件情報をユーザーに選択させる（ステップＳ２８）。ステップＳ２８の処理に際して制御部２は、記憶部７に記憶されている１又は複数の前述した撮影条件情報の保存用画像を表示部６に選択可能に順送りで表示させたり、選択可能に一覧表示させることによりユーザーに所望の保存用画像、つまり撮影条件情報を選択させる。しかる後、制御部２は、ユーザーに選択された撮影条件情報を反映した状態のライブビュー表示を開始し（ステップＳ２９）、ステップＳ７の処理へ戻る。
【００７３】
そして、制御部２は、ライブビュー表示を行っている間に、いずれかの時点でシャッターキーが操作（押下）されると（ステップＳ７：ＮＯ、ステップＳ２７：ＮＯ、ステップＳ３０：ＹＥＳ）、記録用の画像データを取得する撮影処理を実行する（ステップＳ３１）。
【００７４】
ステップＳ３１において制御部２が実行する撮影処理は、ライブビュー画像として、先に説明した撮影条件情報、すなわちステップＳ１２〜ステップＳ１４の処理や、ステップＳ１５〜ステップＳ１９の処理で取得した撮影条件情報が反映されている状態のライブビュー画像が表示されているときには、その撮影条件情報に従った撮影処理である。また、ステップＳ３１において制御部２が実行する撮影条件は、ライブビュー画像として、先に説明した撮影条件情報が反映されていない通常の状態のライブビュー画像が表示されているときには、ＡＥ制御やＡＷＢ制御等によって得られた撮影条件情報に従った撮影処理である。
【００７５】
しかる後、制御部２は、ステップＳ３１の撮影処理で取得した画像データを圧縮し、種々の属性情報を付加し静止画ファイルとして記憶部７に記憶する（ステップＳ３２）。
【００７６】
また、制御部２は、ライブビュー表示を行っている間にシャッターキー以外の他の操作があった場合には（ステップＳ３０：ＮＯ、ステップＳ３３：ＹＥＳ）、操作に応じた所定の処理を実行した後（ステップＳ３４）、再び設定流用モードが選択されたか否かを確認する（ステップＳ７）。なお、ステップＳ３３の処理で制御部２が確認する操作内容は、ズーム設定等である。
【００７７】
以上のように本実施形態のデジタルカメラ１によれば、ユーザーは、既存する撮影画像の中から所望する撮影結果と近似する画像を選択するだけで、所望する撮影結果であって、良好な状態の撮影結果を容易、かつ確実に得ることができる。
【００７８】
なお、ここではデジタルカメラ１が通信部１０を備え、必要に応じてインターネットから既撮影画像１００を受信し、受信した既撮影画像１００から撮影時に流用する撮影条件情報を得ることができる構成について説明した。しかし、本発明の実施に際しては、通信部１０を廃止し、デジタルカメラ１が記憶部７に記憶されている既撮影画像１００のみから撮影時に流用する撮影条件情報を得る構成を採用しても構わない。
【００７９】
また、本発明の実施に際しては、デジタルカメラ１が撮影時に使用する撮影条件情報を、デジタルカメラ１以外の装置によって取得する構成も採用することができる。
【００８０】
図８は、その場合の一例を示すシステム構成図である。すなわち図８に示したシステムは、デジタルカメラ１と、デジタルカメラ１、及びインターネット５００と通信可能な携帯情報端末（携帯電話端末など）６００とで構成される。
【００８１】
係るシステムにおいて本発明を実施する場合には、携帯情報端末６００においてインターネット５００上の既撮影画像１００を選択しダウンロードさせるとともに、デジタルカメラ１が撮影に際して使用する撮影条件情報を取得させる。そして、携帯情報端末６００が取得した撮影条件情報をデジタルカメラ１に供給し、それをデジタルカメラ１が撮影時に使用する撮影条件情報として設定する構成とすればよい。
【００８２】
その場合、例えば携帯情報端末６００がデジタルカメラを内蔵する構成であれば、携帯情報端末６００には、図３、図４に示したステップＳ８〜ステップＳ２６と同様の処理を行わせればよい。
【００８３】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の特許請求の範囲に記載された発明を付記する。
［請求項１］
既存する複数の撮影画像から任意の撮影画像を使用者に選択させる第一の選択制御手段と、前記第一の選択制御手段が使用者に選択させた撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段とを備えることを特徴とする撮影条件取得装置。
［請求項２］
前記撮影条件取得手段は、前記取得手段により取得された撮影条件情報の補正に際し、当該撮影条件情報における補正候補となる種類の撮影条件情報が複数の場合、必要に応じて予め決められている優先順位がより高い種類の撮影条件情報から順に補正することを特徴とする請求項１記載の撮影条件取得装置。
［請求項３］
前記撮影条件取得手段は、前記第一の選択制御手段が使用者に選択させた撮影画像の撮影時の撮影状況を、前記取得手段により取得された撮影条件情報に基づき推測する推測手段と、前記推測手段により推測された撮影状況と前記検出手段により検出された撮影状況情報により示される現在の撮影状況との間における第一の差異を特定する第一の特定手段とを含み、前記取得手段により取得された撮影条件情報を、前記第一の特定手段により特定された第一の差異に基づき補正し、補正後の撮影条件情報を現在の撮影状況での被写体の撮影に使用する撮影条件情報として取得することを特徴とする請求項１又は２記載の撮影条件取得装置。
［請求項４］
前記取得手段は、前記第一の選択制御手段が使用者に選択させた撮影画像に、当該撮影画像の撮影時の撮影状況を示す撮影状況情報が付加されている場合に、当該撮影状況情報を更に取得し、前記撮影条件取得手段は、前記取得手段により取得された撮影状況情報により示される撮影状況と前記検出手段により検出された撮影状況情報により示される現在の撮影状況との間における第二の差異を特定する第二の特定手段と、前記推測手段により推測された撮影状況と前記取得手段により取得された撮影状況情報により示される撮影状況との間における第三の差異を特定する第三の特定手段と、前記第一の選択制御手段が使用者に選択させた撮影画像に、当該撮影画像の撮影時の撮影状況を示す撮影状況情報が付加されている場合に、前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得する第一の補正取得手段と、前記第一の選択制御手段が使用者に選択させた撮影画像に、当該撮影画像の撮影時の撮影状況を示す撮影状況情報が付加されていない場合に、前記取得手段により取得された撮影条件情報を、前記第一の特定手段により特定された第一の差異に基づき補正し、補正後の撮影条件情報を現在の撮影状況での被写体の撮影に使用する撮影条件情報として取得する第二の補正取得手段とを更に含むことを特徴とする請求項３記載の撮影条件取得装置。
［請求項５］
前記取得手段は、前記第一の選択制御手段が使用者に選択させた撮影画像に付加されている撮影状況情報を更に取得し、前記撮影条件取得手段は、前記第一の選択制御手段が使用者に選択させた撮影画像の撮影時の撮影状況を、前記取得手段により取得された撮影条件情報に基づき推測する推測手段と、前記取得手段により取得された撮影状況情報により示される撮影状況と前記検出手段により検出された撮影状況情報により示される現在の撮影状況との間における第二の差異を特定する第二の特定手段と、前記推測手段により推測された撮影状況と前記取得手段により取得された撮影状況情報により示される撮影状況との間における第三の差異を特定する第三の特定手段とを含み、前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得することを特徴とする請求項１又は２記載の撮影条件取得装置。
［請求項６］
前記検出手段は、現在の撮影状況を示す撮影状況情報として、被写体の照度、天気、屋内又は屋外の別の少なくともいずれか１つを示す撮影状況情報を検出することを特徴とする請求項１乃至５いずれか記載の撮影条件取得装置。
［請求項７］
前記取得手段により取得された撮影条件情報のうちで現在の撮影状況での被写体の撮影に際し流用すべき種類の撮影条件を使用者に選択させる第二の選択制御手段をさらに備え、前記撮影条件取得手段は、前記取得手段により取得された撮影条件情報の補正に際し、第二の選択制御手段が使用者に選択させた種類の撮影条件を補正の対象から除外することを特徴とする請求項１乃至６いずれか記載の撮影条件取得装置。
［請求項８］
前記第一の選択制御手段は、既存する複数の撮影画像であって、前記撮影条件取得手段により取得された撮影条件情報を被写体の撮影に際して使用する撮影装置に保存されている複数の撮影画像から任意の撮影画像を使用者に選択させることを特徴とする請求項１乃至７いずれか記載の撮影条件取得装置。
［請求項９］
前記第一の選択制御手段は、既存する複数の撮影画像であって、前記撮影条件取得手段により取得された撮影条件情報を被写体の撮影に際して使用する撮影装置以外の他の装置に保存されている複数の撮影画像から任意の撮影画像を使用者に選択させることを特徴とする請求項１乃至７いずれか記載の撮影条件取得装置。
［請求項１０］
前記撮影条件取得手段により取得された撮影条件情報を再利用可能に保存する保存手段を更に備えることを特徴とする請求項１乃至９いずれか記載の撮影条件取得装置。
［請求項１１］
前記取得手段により取得された撮影条件情報と前記撮影条件取得手段により取得された撮影条件情報との差異を識別可能に表示する表示手段を更に備えることを特徴とする請求項１乃至１０いずれか記載の撮影条件取得装置。
［請求項１２］
既存する複数の撮影画像から任意の撮影画像を使用者に選択させる工程と、使用者に選択させた撮影画像に付加されている撮影条件情報を取得する工程と、現在の撮影状況を示す撮影状況情報を検出する工程と、前記取得した撮影条件情報を、前記検出した撮影状況情報に応じて補正し、補正後の撮影条件情報を現在の撮影状況での被写体の撮影に際して使用する撮影条件情報として取得する工程とを備えることを特徴とする撮影条件取得方法。
［請求項１３］
コンピュータに、任意の記憶手段に記憶されている複数の撮影画像から任意の撮影画像を使用者に選択させる処理と、使用者に選択させた撮影画像に付加されている撮影条件情報を取得する処理と、所定の検出手段によって現在の撮影状況を示す撮影状況情報を検出する処理と、前記取得した撮影条件情報を、前記検出した撮影状況情報に応じて補正し、補正後の撮影条件情報を現在の撮影状況での被写体の撮影に際して使用する撮影条件情報として取得する処理とを実行させることを特徴とするプログラム。
［請求項１４］
被写体を撮像する撮像手段と、既存する複数の撮影画像から任意の撮影画像を使用者に選択させる第一の選択制御手段と、前記第一の選択制御手段が使用者に選択させた撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と、前記撮像手段が被写体を撮像する撮影時の撮影条件を前記撮影条件取得手段により取得された撮影条件情報に従い設定する設定手段とを備えることを特徴とする撮像装置。
【符号の説明】
【００８４】
１    デジタルカメラ
２    制御部
３    電源部
４    レンズ部
５    撮像部
６    表示部
７    記憶部
８    操作部
９    発光部
１０    通信部
１００    既撮影画像
１００ａ    画像データ本体
１００ｂ    撮影条件情報
１００ｃ    撮影状況情報
５００    インターネット
６００    携帯情報端末
【図１】
0005790974.tif 000002
【図２】
0005790974.tif 000003
【図３】
0005790974.tif 000004
【図４】
0005790974.tif 000005
【図５】
0005790974.tif 000006
【図６】
0005790974.tif 000007
【図７】
0005790974.tif 000008
【図８】
0005790974.tif 000009